(57)【要約】      （修正有）【課題】放送番組の視聴中に緊急ニュース速報が放送された場合の視認性及び利便性を向上する。【解決手段】受信装置は、放送信号を受信する受信部と、受信部が受信した放送信号に特定の記述子が含まれているか否かを判定する判定部と、放送信号による放送番組を表示する表示画面の一部又は全部に所定の情報を表示する処理を少なくとも有する機能を実行する第１処理部と、機能の実行中に、判定部により放送信号に特定の記述子が含まれていると判定された場合、実行中の機能を終了する第２処理部と、第２処理部が終了した機能を再起動させる第３処理部と、を備える。【選択図】図３
2017069680.tif 000002
【特許請求の範囲】
【請求項１】
放送信号を受信する受信部と、
前記受信部が受信した前記放送信号に特定の記述子が含まれているか否かを判定する判定部と、
前記放送信号による放送番組を表示する表示画面の一部又は全部に所定の情報を表示する処理を少なくとも有する機能を実行する第１処理部と、
前記機能の実行中に、前記判定部により前記放送信号に特定の記述子が含まれていると判定された場合、実行中の前記機能を終了する第２処理部と、
前記第２処理部が終了した前記機能を再起動させる第３処理部と、
を備える受信装置。
【請求項２】
前記特定の記述子は、緊急ニュース速報の放送に対応して前記放送信号に含まれる記述子である、
請求項１に記載の受信装置。
【請求項３】
前記第３処理部は、
前記放送信号に前記特定の記述子が含まれている状態から含まれない状態に遷移したと判定された場合、前記第２処理部が終了した前記機能を再起動させる、
請求項１または請求項２に記載の受信装置。
【請求項４】
前記第３処理部は、
前記放送信号に前記特定の記述子が含まれている状態であっても、操作入力を受け付けた場合、前記第２処理部が終了した前記機能を再起動させる、
請求項１から請求項３のいずれか一項に記載の受信装置。
【請求項５】
前記第３処理部は、
前記機能を再起動させるか否かを選択する操作入力に基づいて、前記第２処理部が終了した前記機能を再起動させるか否かを決定する、
請求項１から請求項４のいずれか一項に記載の受信装置。
【請求項６】
前記第３処理部は、
前記機能ごとに再起動させるか否かが設定された管理情報に基づいて、前記第２処理部が終了した前記機能のうち再起動させると設定されている前記機能を再起動させる、
請求項１から請求項５のいずれか一項に記載の受信装置。
【請求項７】
前記第１処理部は、
前記放送信号に前記特定の記述子が含まれている状態から含まれない状態に遷移したと判定された場合、特定の前記機能を実行させる、
請求項１から請求項６のいずれか一項に記載の受信装置。
【請求項８】
放送信号を受信する受信装置における制御方法であって、
判定部が、受信された前記放送信号に特定の記述子が含まれているか否かを判定する判定ステップと、
第１処理部が、前記放送信号による放送番組を表示する表示画面の一部又は全部に所定の情報を表示する処理を少なくとも有する機能を実行する第１処理ステップと、
第２処理部が、前記機能の実行中に、前記判定部により前記放送信号に特定の記述子が含まれていると判定された場合、実行中の前記機能を終了する第２処理ステップと、
第３処理部が、前記第２処理部が終了した前記機能を再起動させる第３処理ステップと、
を有する制御方法。
【請求項９】
コンピュータに、
受信された放送信号に特定の記述子が含まれているか否かを判定する判定ステップと、
前記放送信号による放送番組を表示する表示画面の一部又は全部に所定の情報を表示する処理を少なくとも有する機能を実行する第１処理ステップと、
前記機能の実行中に、前記放送信号に特定の記述子が含まれていると判定された場合、実行中の前記機能を終了する第２処理ステップと、
終了した前記機能を再起動させる第３処理ステップと、
を実行させるためのプログラム。
【発明の詳細な説明】
【技術分野】
【０００１】
本発明は、受信装置、制御方法、及びプログラムに関する。
【背景技術】
【０００２】
放送番組の視聴中に各種オーバーレイ表示が行われる機能（チャンネルコール、時計表示、電子番組表等）がある。このような各種オーバーレイ表示は、一般的に機能毎に定められた表示画面上の位置に所定のサイズで表示される。例えば、特許文献１は、表示画面上に電子番組表を表示するものである。
【先行技術文献】
【特許文献】
【０００３】
【特許文献１】特開２００８−１１３２７１号公報
【発明の概要】
【発明が解決しようとする課題】
【０００４】
ところで、緊急ニュース速報が放送された場合には、安心安全にかかわるため、その緊急ニュース速報の視認性を確保することが望ましい。そのため、放送番組の表示画面にオーバーレイ表示を同時に行っているときに緊急ニュース速報が放送された場合、受信装置は、自動でオーバーレイ表示を解除して放送番組を全画面表示することにより、緊急ニュース速報の視認性を確保することが考えられる。しかしながら、ユーザの意思とは無関係にこの処理が行なわれると、ユーザによっては、放送番組が全画面表示された後にその機能を再び使用したいケースが考えられる。その場合、ユーザは、その機能を再起動させるための操作が必要であり煩わしかった。
【０００５】
本発明は上記の点に鑑みてなされたものであり、放送番組の視聴中に緊急ニュース速報が放送された場合の視認性及び利便性を向上する受信装置、制御方法、及びプログラムを提供することを課題とする。
【課題を解決するための手段】
【０００６】
本発明は上記の課題を解決するためになされたものであり、本発明の一態様は、放送信号を受信する受信部と、前記受信部が受信した前記放送信号に特定の記述子が含まれているか否かを判定する判定部と、前記放送信号による放送番組を表示する表示画面の一部又は全部に所定の情報を表示する処理を少なくとも有する機能を実行する第１処理部と、前記機能の実行中に、前記判定部により前記放送信号に特定の記述子が含まれていると判定された場合、実行中の前記機能を終了する第２処理部と、前記第２処理部が終了した前記機能を再起動させる第３処理部と、を備える受信装置である。
【０００７】
また、本発明の一態様は、上記受信装置において、前記特定の記述子は、緊急ニュース速報の放送に対応して前記放送信号に含まれる記述子である。
【０００８】
また、本発明の一態様は、上記受信装置において、前記第３処理部は、前記放送信号に前記特定の記述子が含まれている状態から含まれない状態に遷移したと判定された場合、前記第２処理部が終了した前記機能を再起動させる。
【０００９】
また、本発明の一態様は、上記受信装置において、前記第３処理部は、前記放送信号に前記特定の記述子が含まれている状態であっても、操作入力を受け付けた場合、前記第２処理部が終了した前記機能を再起動させる。
【００１０】
また、本発明の一態様は、上記受信装置において、前記第３処理部は、前記機能を再起動させるか否かを選択する操作入力に基づいて、前記第２処理部が終了した前記機能を再起動させるか否かを決定する。
【００１１】
また、本発明の一態様は、上記受信装置において、前記第３処理部は、前記機能ごとに再起動させるか否かが設定された管理情報に基づいて、前記第２処理部が終了した前記機能のうち再起動させると設定されている前記機能を再起動させる。
【００１２】
また、本発明の一態様は、上記受信装置において、前記第１処理部は、前記放送信号に前記特定の記述子が含まれている状態から含まれない状態に遷移したと判定された場合、特定の前記機能を実行させる。
【００１３】
また、本発明の一態様は、放送信号を受信する受信装置における制御方法であって、判定部が、受信された前記放送信号に特定の記述子が含まれているか否かを判定する判定ステップと、第１処理部が、前記放送信号による放送番組を表示する表示画面の一部又は全部に所定の情報を表示する処理を少なくとも有する機能を実行する第１処理ステップと、第２処理部が、前記機能の実行中に、前記判定部により前記放送信号に特定の記述子が含まれていると判定された場合、実行中の前記機能を終了する第２処理ステップと、第３処理部が、前記第２処理部が終了した前記機能を再起動させる第３処理ステップと、を有する制御方法である。
【００１４】
また、本発明の一態様は、コンピュータに、受信された放送信号に特定の記述子が含まれているか否かを判定する判定ステップと、前記放送信号による放送番組を表示する表示画面の一部又は全部に所定の情報を表示する処理を少なくとも有する機能を実行する第１処理ステップと、前記機能の実行中に、前記放送信号に特定の記述子が含まれていると判定された場合、実行中の前記機能を終了する第２処理ステップと、終了した前記機能を再起動させる第３処理ステップと、を実行させるためのプログラムである。
【発明の効果】
【００１５】
本発明によれば、放送番組の視聴中に緊急ニュース速報が放送された場合の視認性及び利便性を向上できる。
【図面の簡単な説明】
【００１６】
【図１】第１の実施形態に係る放送システムの概略構成を示すブロック図。
【図２】緊急ニュース記述子のデータ構造の一例を示す図。
【図３】第１の実施形態に係る受信装置の概略構成を示すブロック図。
【図４】第１の実施形態に係る受信機アプリ管理情報の一例を示す図。
【図５】第１の実施形態に係る受信機アプリ管理情報のデータの遷移の一例を示す図。
【図６】第１の実施形態に係る表示部の表示画面の遷移の第１例を示す図。
【図７】第１の実施形態に係る表示部の表示画面の遷移の第２例を示す図。
【図８】第１の実施形態に係る再起動処理の一例を示すフローチャート。
【図９】第２の実施形態に係る受信機アプリ管理情報の一例を示す図。
【発明を実施するための形態】
【００１７】
以下、図面を参照して、本発明の一実施形態について説明する。
[第１の実施形態]
本発明の第１の実施形態について説明する。
（放送システムの構成）
図１は、本実施形態に係る放送システム１の概略構成を示すブロック図である。
放送システム１は、受信装置１０と、送信装置２０とを含んで構成される。放送システム１において、受信装置１０と、送信装置２０との台数は、一般的にそれぞれ複数である。以下の説明においては、説明を容易にするため、受信装置１０と、送信装置２０との台数が、それぞれ１台である場合について説明する。また、以下の説明では、放送システム１において、例えば高度ＢＳデジタル放送（スーパーハイビジョン）などのデジタル放送が伝送され、このデジタル放送のメディアトランスポート方式として、ＭＭＴ（ＭＰＥＧ  Ｍｅｄｉａ  Ｔｒａｎｓｐｏｒｔ）方式が採用されている場合を例とする。
【００１８】
送信装置２０は、番組データｉ１と、制御データとを多重化した多重化データを示す信号を電波で送信する。制御データは、番組配列情報ｉ２と、番組構成情報ｉ３と、を含むデータである。送信装置２０は、例えば、放送局などの放送事業者が有する送信装置である。番組データｉ１は、番組を構成する映像を示す映像データを少なくとも含むコンテンツデータである。なお、以下の説明においては、番組データｉ１が、映像データと音声データの両方を含むコンテンツデータであるものとして説明する。なお、映像データと音声データとのそれぞれは、予め定めた符号化方式で符号化されたデータである。例えば、映像データは、Ｈ．２６５、いわゆる、ＨＥＶＣ（Ｈｉｇｈ  Ｅｆｆｉｃｉｅｎｃｙ  Ｖｉｄｅｏ  Ｃｏｄｉｎｇ）などの符号化方式で符号化されたデータである。また、例えば、音声データは、ＩＳＯ／ＩＥＣ  １４４９６  Ｐａｒｔ３、いわゆる、ＭＰＥＧ−４オーディオなどの符号化方式で符号化されたデータである。
【００１９】
番組配列情報ｉ２は、その時点（現在）において各チャンネルで放送される番組と、その時点から所定時間後までの間に各チャンネルで放送予定の番組のそれぞれに関する情報を含む。従って、番組配列情報ｉ２には、番組データｉ１に係る番組、つまり、その時点で放送される番組に関する情報が含まれる。例えば、番組配列情報ｉ２には、各番組について含まれる放送情報として、番組識別情報と、放送日時情報とが含まれる。ここで、番組識別情報は、例えば、放送される番組の種類および配列などの番組やその属性を識別する情報である。また、放送日時情報は、番組の放送日時を示す情報である。その他、番組配列情報ｉ２には、電子番組表を生成する際に用いられる種々の情報が含まれている。番組配列情報ｉ２として、例えば、ＭＭＴ−ＳＩ（ＭＭＴ−Ｓｙｓｔｅｍ  Ｉｎｆｏｒｍａｔｉｏｎ）を構成するＭＨ−ＥＩＴ（Ｅｖｅｎｔ  Ｉｎｆｏｒｍａｔｉｏｎ  Ｔａｂｌｅ）が含まれる。
【００２０】
番組構成情報ｉ３は、番組データｉ１に係る番組、つまり放送される番組の構成要素であるアセットのリストや、それらの諸要件を示す要件情報を含む。アセットとは、番組の構成要素である要素データである。要件情報として、例えば、番組データｉ１に含まれる映像データの解像度を示す情報が含まれる。また、高度ＢＳデジタル放送（スーパーハイビジョン）では、番組構成情報ｉ３には緊急ニュース記述子（Ｅｍｅｒｇｅｎｃｙ＿Ｎｅｗｓ＿Ｄｅｓｃｒｉｐｔｏｒ）が含まれる。緊急ニュース記述子は、安心安全にかかわる緊急ニュース速報（緊急地震速報、臨時ニュース、分断ニュース、速報スーパーなど）が放送された場合に確実に視聴者に情報を届けるための記述子であり、緊急ニュース速報の放送中に配置される。例えば、番組構成情報ｉ３としては、ＭＭＴ−ＳＩを構成するＭＰＴ（ＭＭＴ  Ｐａｃｋａｇｅ  Ｔａｂｌｅ；ＭＰテーブル）が含まれる。上記緊急ニュース記述子は、例えば、ＭＰＴの第１ループ（プログラムループ）に配置される。
【００２１】
図２は、緊急ニュース記述子のデータ構造の一例を示す図である。緊急ニュース記述子は、送出時刻タイムスタンプ（ｔｒａｎｓｍｉｔ＿ｔｉｍｅｓｔａｍｐ）を含んで構成される。送出時刻タイムスタンプの６４ビットのフィールドは、緊急ニュース記述子を配置したときの送出時刻をタイムスタンプフォーマットで示す。
【００２２】
図１に戻り、送信装置２０は、番組データｉ１と、制御データとを多重化した多重化データを所定の暗号化方式（例えば、ＡＥＳ：Ａｄｖａｎｃｅｄ  Ｅｎｃｒｙｐｔｉｏｎ  Ｓｔａｎｄａｒｄ）で暗号化する。そして、送信装置２０は、暗号化された多重化データについて誤り訂正符号化を行い、生成された誤り訂正符号を多重化データに付加する。送信装置２０は、誤り訂正符号として、例えば、ＢＣＨ（Ｂｏｓｅ  Ｃｈａｕｄｈｕｒｉ  Ｈｏｃｑｕｅｎｇｈｅｍ）符号とＬＤＰＣ（Ｌｏｗ  Ｄｅｎｓｉｔｙ  Ｐａｒｉｔｙ  Ｃｈｅｃｋ）符号を付加する。送信装置２０は、誤り訂正符号を付加した多重化データを所定の変調方式（例えば、８ＰＳＫ：８  Ｐｈａｓｅ  Ｓｈｉｆｔ  Ｋｅｙｉｎｇ（八相位相変調）、ＡＰＳＫ：Ａｍｐｌｉｔｕｄｅ  ａｎｄ  Ｐｈａｓｅ  Ｓｈｉｆｔ  Ｋｅｙｉｎｇ（振幅位相変調））を用いて変調する。送信装置２０は、変調により生成された放送信号を、放送伝送路ＢＴを介して受信装置１０に送信する。放送伝送路ＢＴは、不特定の送信先として１台又は複数台の受信装置１０に一斉に放送信号を送信することができる伝送路である。
【００２３】
図１に示す例では、放送伝送路ＢＴは、放送信号を電波で伝送する伝送路である。この例では、送信装置２０は、変調により生成された基底帯域の放送信号を、所定のチャンネルの周波数帯域の信号にアップコンバートする。送信装置２０は、アップコンバートにより生成された放送信号を電波として放送伝送路ＢＴに送出する。放送伝送路ＢＴは、その一部又は全部に無線又は有線の通信ネットワークを含んで構成されてもよい。
【００２４】
上述した多重化データから放送信号に変換するまでの一連の処理、及びそれらの逆処理、つまり、受信装置１０において放送信号から多重化データに変換するまでの処理については、次の文献に詳しく記載されている。
「高度広帯域衛星デジタル放送の伝送方式  標準規格」，一般社団法人  電波産業会，２０１４年７月，ＡＲＩＢ  ＳＴＤ−Ｂ４４，２．０版
【００２５】
受信装置１０は、送信装置２０から放送伝送路ＢＴを介して伝送された放送信号を受信する。受信装置１０は、放送信号から番組データｉ１と制御データを分離し、分離した番組データｉ１に含まれる映像データと音声データを出力する。また、受信装置１０は、分離した制御データに含まれる番組構成情報ｉ３を解析して緊急ニュース記述子が含まれているか否かを判定する。
【００２６】
また、受信装置１０は、番組データｉ１に基づく映像（放送番組の映像）を表示する表示画面の一部又は全部に所定の情報をオーバーレイ表示（オンスクリーン表示）する処理を少なくとも有する機能を実行する。この機能は、例えば、チャンネルコール、時計表示、電子番組表等のように特定の目的のために実行する機能であり、受信装置１０で予め用意されたアプリケーションプログラムを実行することで実現される。以下の説明において、この受信装置１０で実行される上記機能のことを「受信機アプリ」とも称する。受信機アプリには、チャンネルコール、時計表示、電子番組表等の他に、受信装置１０の各種設定（受信設定、画質設定、音声設定等）や、１画面表示と２画面表示との画面切り替え等も含まれる。
【００２７】
例えば、受信装置１０は、受信機アプリの実行中に、放送信号に緊急ニュース記述子が含まれていると判定した場合、実行中の受信機アプリを終了する。即ち、受信装置１０は、表示画面のオーバーレイ表示を解除する。また、受信装置１０は、所定の条件を満たした場合、終了した前記機能を再起動させる。ここで、所定の条件とは、緊急ニュース速報が終了したことや、ユーザがチャンネルの変更等の操作入力をしたことである。これにより、受信装置１０は、受信機アプリの実行中であっても一旦終了することで緊急ニュース速報の視認性を確保できるとともに、終了した受信機アプリをその後再起動させることで緊急ニュース速報の放送前の状態に戻るため、その受信機アプリを再び使用したいユーザの利便性を向上できる。以下、受信装置１０の構成について詳しく説明する。
【００２８】
（受信装置の構成）
図３は、本実施形態に係る受信装置１０の概略構成を示すブロック図である。
受信装置１０は、例えば、テレビジョン装置であり、放送受信部１１と、操作入力部１２と、拡声部１３と、表示部１４と、記憶部１５と、制御部１６とを含んで構成される。制御部１６は、復調部１６１と、分離部１６２と、音声処理部１６３と、処理部１６４とを含んで構成される。また、処理部１６４は、選局処理部１６４１と、表示処理部１６４２と、判定部１６４３と、機能処理部１６４４とを含んで構成される。
【００２９】
放送受信部１１は、選局処理部１６４１から入力された選局信号で指示されるチャンネルに対応する周波数帯域の放送信号を電波で受信する。放送信号として、送信装置２０から放送伝送路ＢＴを介して伝送された放送信号が受信される。放送受信部１１は、受信した放送信号を基底周波数帯域にダウンコンバートする。放送受信部１１は、ダウンコンバートにより生成された放送信号を復調部１６１に出力する。放送受信部１１は、例えば、チューナーを含んで構成される。
【００３０】
操作入力部１２は、受信装置１０のユーザである視聴者の操作に基づいて生成された操作信号を取得する。操作入力部１２は、取得した操作信号を制御部１６に出力する。操作入力部１２は、例えば、リモートコントローラＲＣから赤外線で伝送された操作信号を受信する赤外線インタフェースを含んで構成される。リモートコントローラＲＣは、複数のボタンを備え、視聴者の操作により押下されたボタンに対応する指示（コマンド）を示す操作信号を生成する。指示には、放送信号を受信するチャンネルの指示や、表示部１４にオーバーレイ表示される各種の受信機アプリ（チャンネルコール、時計表示、電子番組表等）の実行の指示などがある。
【００３１】
なお、操作入力部１２は、ボタン、つまみなどの、物理的な部材を含んで構成され、部材が受け付けた操作に応じた操作信号を生成してもよい。また、操作入力部１２は、他の電子機器からの操作信号を無線又は有線で受信する入出力インタフェースを含んで構成されてもよい。他の電子機器は、例えば、画像を表示可能なディスプレイと、操作入力を受け付けるタッチセンサーなどのポインティングデバイスとを備える電子機器、例えば、多機能携帯電話機（いわゆる、スマートフォンを含む）、タブレット端末装置などでもよい。
【００３２】
拡声部１３は、制御部１６の音声処理部１６３から入力された音声信号に基づく音声を再生する。拡声部１３は、例えば、スピーカーを含んで構成される。拡声部１３は、例えば、放送信号で送信装置２０から搬送される番組データｉ１に基づく音声を再生する。
【００３３】
表示部１４は、例えば、液晶パネルを含んで構成され、処理部１６４から入力された映像信号に基づく映像（放送番組の映像）を表示する。表示部１４は、例えば、放送信号で送信装置２０から搬送された番組データｉ１に基づく放送番組の映像及び緊急ニュース速報の映像又は情報を表示する。また、表示部１４は、実行された受信機アプリによるオーバーレイ表示を行う。例えば、表示部１４は、リモートコントローラＲＣでチャンネルコールの操作がされると、チャンネルコールをオーバーレイ表示する。また、表示部１４は、リモートコントローラＲＣで番組表を表示させる操作がされると、番組配列情報ｉ２に基づく電子番組表を表示する。
【００３４】
記憶部１５は、制御部１６または制御部１６内の構成要素が種々の処理を実行するためのプログラム、処理に用いられるデータ、処理により生成されるデータを記憶する。記憶部１５は、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体を含んで構成される。なお、記憶部１５は、その他の記憶媒体や、ＨＤＤ（Ｈａｒｄ  ｄｉｓｋ  ｄｒｉｖｅ）などの記憶装置を含んで構成されてもよい。
【００３５】
制御部１６は、放送受信部１１から入力された放送信号から番組データｉ１と制御データを抽出する。例えば、制御部１６は、抽出した番組データｉ１に基づく音声信号を拡声部１３に出力し、番組データｉ１に基づく映像信号を表示部１４に出力する。また、制御部１６は、受信機アプリの実行に応じて、チャンネルコール、時計表示、電子番組表などを示す映像信号を表示部１４に出力する。
【００３６】
復調部１６１は、放送受信部１１から入力された放送信号についてフロントエンド処理を行って多重化データに変換する。フロントエンド処理とは、アナログ信号である放送信号を復号し、ディジタルデータである多重化信号に変換するまでの一連の処理である。フロントエンド処理には、復調、誤り訂正及び暗号化の各処理が含まれる。復調、暗号化の各処理は、送信装置２０における変調、暗号化の逆の処理に相当する。誤り訂正処理では、送信装置２０において付加された誤り訂正符号が用いられる。例えば、復調部１６１は、誤り訂正処理として、ＢＣＨ符号を用いてシンドローム復号を行い、ＬＤＰＣ符号を用いてパリティ検査を行う。復調部１６１は、変換した多重化データを分離部１６２に出力する。
【００３７】
分離部１６２は、復調部１６１から入力された多重化データを番組データｉ１と制御データに分離する。分離部１６２は、制御データをさらに番組配列情報ｉ２と番組構成情報ｉ３に分離する。分離部１６２は、分離した番組構成情報ｉ３に含まれるＭＰＴを参照して番組データｉ１から音声データと映像データを抽出する。分離部１６２は、抽出した音声データを音声処理部１６３に出力し、抽出した映像データを処理部１６４の表示処理部１６４２に出力する。また、分離部１６２は、分離した番組配列情報ｉ２を処理部１６４の機能処理部１６４４に出力し、分離した番組構成情報ｉ３を判定部１６４３に出力する。
【００３８】
音声処理部１６３は、分離部１６２から入力される音声データを所定の音声復号方式を用いて復号する。音声処理部１６３が用いる音声復号方式は、送信装置２０が送信する音声データの符号化に用いられた音声符号化方式に対応する音声復号方式である。音声処理部１６３は、復号により得られた音声信号を拡声部１３に出力する。
【００３９】
選局処理部１６４１は、操作入力部１２から入力された操作信号に基づいて、放送信号を受信するチャンネルを選択する。特定のチャンネルを指示する操作信号が入力される場合には、選局処理部１６４１は、当該操作信号が示すチャンネルを選択する。特定のチャンネルは、リモートコントローラＲＣが備えるチャンネルボタンのうち、押下されたチャンネルボタンに係るチャンネルに相当する。電子番組表が表示部１４に表示されている場合には、選局処理部１６４１は、番組毎の表示枠のうち、操作信号が指示する表示枠に係る番組を放送するチャンネルを選択してもよい。選局処理部１６４１は、選択したチャンネルを示す選局信号を放送受信部１１に出力する。これにより、選局処理部１６４１は、放送受信部１１に選択したチャンネルで放送信号を受信させることができる。
【００４０】
表示処理部１６４２は、分離部１６２から入力された映像データを所定の映像復号方式を用いて復号する。表示処理部１６４２が用いる映像復号方式は、送信装置２０が送信する映像データの符号化に用いられた映像符号化方式に対応する映像復号方式である。この復号により放送番組の映像を表す映像信号が生成される。表示処理部１６４２は、生成した映像信号を表示部１４に出力する。また、放送信号に緊急ニュース速報が含まれる場合、表示処理部１６４２は、緊急ニュース速報データが含まれる映像データから映像信号を生成して表示部１４に出力する。また、表示処理部１６４２は、受信機アプリの実行に応じて機能処理部１６４４で生成されたチャンネルコール、時計表示、電子番組表などを示すオーバーレイ表示信号を取得し、取得したオーバーレイ表示信号を放送番組の映像信号に重畳したオーバーレイ表示を含む映像信号を生成して表示部１４に出力する。
【００４１】
判定部１６４３は、放送信号に緊急ニュース記述子が含まれているか否かを判定する。具体的には、判定部１６４３は、分離部１６２から入力される番組構成情報ｉ３を解析して緊急ニュース記述子が含まれているか否かを判定する。そして、判定部１６４３は、判定結果を機能処理部１６４４に出力する。
【００４２】
機能処理部１６４４は、受信機アプリの実行を制御する。例えば、機能処理部１６４４は、受信機アプリを実行する。例えば、機能処理部１６４４は、操作入力部１２から制御部１６に入力される操作信号に基づいて、受信機アプリを実行する。このときの操作信号は、各種の受信機アプリ（チャンネルコール、時計表示、電子番組表等）の実行の指示を示す操作信号である。
【００４３】
例えば、機能処理部１６４４は、チャンネルコールの受信機アプリを実行した場合、視聴中の番組配列情報ｉ２に基づいて、チャンネルを示す文字等を含むオーバーレイ表示信号を生成して表示処理部１６４２に出力する。また、機能処理部１６４４は、時計表示の受信機アプリを実行した場合、放送信号に含まれる時刻情報、または受信装置１０の内部の時計機能の時刻情報等に基づいて、日時及び時刻を示す文字を含むオーバーレイ表示信号を生成して表示処理部１６４２に出力する。また、機能処理部１６４４は、電子番組表の受信機アプリを実行した場合、番組配列情報ｉ２に含まれるＭＨ−ＥＩＴに基づいて電子番組表を含むオーバーレイ表示信号を生成して表示処理部１６４２に出力する。
【００４４】
また、機能処理部１６４４は、受信機アプリの実行中に、判定部１６４３により放送信号に緊急ニュース記述子が含まれていると判定された場合、実行中の受信機アプリを終了する。例えば、機能処理部１６４４は、判定部１６４３から入力される判定結果に基づいて、放送信号に緊急ニュース記述子が含まれていると判定された場合、実行中の受信機アプリを終了する。一方、機能処理部１６４４は、放送信号に緊急ニュース記述子が含まれていないと判定された場合、実行中の受信機アプリの実行を継続させる。
【００４５】
また、機能処理部１６４４は、終了した受信機アプリを再起動させる。例えば、機能処理部１６４４は、放送信号に緊急ニュース記述子が含まれている状態から含まれない状態に遷移したと判定部１６４３により判定された場合、終了した受信機アプリを再起動させる。即ち、機能処理部１６４４は、緊急ニュース速報が終了した場合、終了した受信機アプリを再起動させる。
【００４６】
なお、機能処理部１６４４は、緊急ニュース速報の途中であってもユーザがチャンネルの変更等の操作入力をした場合には、ユーザがその緊急ニュース速報を継続して視聴する意思がない（或いは緊急ニュース速報を継続して視聴する意思がない可能性ある）と判断して、終了した受信機アプリを再起動させてもよい。例えば、機能処理部１６４４は、放送信号に緊急ニュース記述子が含まれている状態であっても、操作入力を受け付けた場合、終了した受信機アプリを再起動させる。
【００４７】
また、機能処理部１６４４は、受信機アプリを再起動させる前に、受信機アプリを再起動させるか否かをユーザに選択させてもよい。例えば、機能処理部１６４４は、受信機アプリを再起動させるか否かを選択する操作入力に基づいて、終了した受信機アプリを再起動させるか否かを決定する。これにより、受信装置１０は、ユーザがその緊急ニュース速報を継続して視聴する意思がないことの確認や、ユーザが緊急ニュース速報の開始前に使用していた受信機アプリを再び使用したいか否かの確認を行うことができる。
【００４８】
また、機能処理部１６４４は、受信機アプリごとに再起動させるか否かが設定された管理情報（以下、「受信機アプリ管理情報」ともいう）に基づいて、終了した受信機アプリのうち再起動させると設定されている受信機アプリを再起動させてもよい。
【００４９】
（受信機アプリ管理情報）
図４は、受信機アプリ管理情報の一例を示す図である。この受信機アプリ管理情報は、例えば記憶部１５に記憶されている。図示する受信機アプリ管理情報は、受信機アプリと、起動状態と、緊急ニュース速報開始時の状態と、再起動の必要性とが関連付けられている。起動状態は、受信機アプリの現在の起動状態であり、「○」が実行中（起動している状態）を示し、「×」が起動していない状態を示す。ここでは、アプリＡ、アプリＢ、及びアプリＣが実行中の状態であり、アプリＤが起動していない状態であることを示している。
【００５０】
緊急ニュース速報開始時の状態は、緊急ニュース速報が開始されたときの受信機アプリの起動状態が保持される。ここでは、緊急ニュース速報が開始されていない状態を示しており、全ての受信機アプリの緊急ニュース速報開始時の状態は「×」である。緊急ニュース速報が開始されると、その開始時の各受信機アプリの起動状態が反映される。この緊急ニュース速報開始時の状態は、例えば、緊急ニュース速報の終了時に再起動させる対象の受信機アプリであるか否かの判定に用いられる。
【００５１】
再起動の必要性は、終了した受信機アプリを再起動させるか否かを示す情報であり、「○」が再起動の必要性ありを示し、「×」が再起動の必要性なしを示す。この再起動の必要性は、例えば、緊急ニュース速報の終了時に再起動させる必要がある受信機アプリであるか否かの判定に用いられる。再起動なしと設定されている受信機アプリは、緊急ニュース速報の開始時に実行中（起動している状態）であったとしても、再起動の対象とはならない。なお、再起動の必要性は、例えば、受信機アプリごとに予め初期値が設定されており、ユーザが変更することも可能である。ここでは、アプリＡ、アプリＢ、及びアプリＤの再起動の必要性ありに設定されている。
【００５２】
図５は、受信機アプリ管理情報のデータの遷移の一例を示す図であり、緊急ニュース速報の開始時と終了時に管理情報が更新される例を示している。
ＳＴ１０１：緊急ニュース速報が開始される前の管理情報であり、ここでは図４に示す例と同じである。この状態で、緊急ニュース速報が開始されるとＳＴ１０２の状態に遷移する。
【００５３】
ＳＴ１０２：緊急ニュース速報が開始されると、実行中のアプリＡ、アプリＢ、及びアプリＣが終了することにより、アプリＡ、アプリＢ、及びアプリＣの起動状態が「×」に更新される。また、緊急ニュース速報が開始されたときの受信機アプリの起動状態を保持するために、アプリＡ、アプリＢ、及びアプリＣの緊急ニュース速報開始時の状態が「○」に更新される。つまり、図示する例では、例えば緊急ニュース速報が放送された後に再起動させる受信機アプリは、緊急ニュース速報が開始時に実行中であって、且つ再起動の必要性ありと設定されているアプリＡ及びアプリＢである。
【００５４】
次に、例えば、緊急ニュース速報の終了時に受信機アプリの再起動が選択された場合にはＳＴ１０３の状態に遷移する。一方、緊急ニュース速報の終了時に受信機アプリを再起動が選択されなかった場合（選択しないことが選択された場合）にはＳＴ１０４の状態に遷移する。
【００５５】
ＳＴ１０３：アプリＡ及びアプリＢ再起動したことにより、ＳＴ１０２の状態から、アプリＡ及びアプリＢ起動状態が「○」に更新される。また、アプリＡ、アプリＢ、及びアプリＣの緊急ニュース速報開始時の状態は「×」に戻る（クリアされる）。
【００５６】
ＳＴ１０４：受信機アプリの再起動を行わないため、ＳＴ１０２の状態から、アプリＡ、アプリＢ、及びアプリＣの緊急ニュース速報開始時の状態は「×」に戻る（クリアされる）のみである。
【００５７】
（表示画面の遷移）
次に、図６及び図７を参照して、緊急ニュース速報の放送に伴う表示画面の遷移について説明する。
図６は、表示部１４の表示画面の遷移の第１例を示す図である。
表示画面Ｇ１０は、緊急ニュース速報の開始前の表示画面例である。表示画面Ｇ１０では、アプリＡ、アプリＢ、及びアプリＣの３つの受信機アプリが実行中であり、放送番組の映像にアプリＡ、アプリＢ、及びアプリＣのオーバーレイ表示がされている。
【００５８】
表示画面Ｇ１１は、緊急ニュース速報の放送中の表示画面例である。受信装置１０は、緊急ニュース速報が開始されると、放送信号に緊急ニュース記述子が含まれていると判定し、アプリＡ、アプリＢ、及びアプリＣを終了する。これにより、表示画面Ｇ１１に示すように、オーバーレイ表示が解除され、放送番組の映像が全画面表示される。
【００５９】
次に、表示画面Ｇ１２は、緊急ニュース速報が終了した時の表示画面例である。受信装置１０は、放送信号に緊急ニュース記述子が含まれている状態から含まれない状態に遷移したと判定する。そして、受信装置１０は、緊急ニュース速報によって終了した受信機アプリを再起動させるか否かを選択させる選択画面Ｋ１をオーバーレイ表示する。図示する選択画面Ｋ１の例には、緊急ニュース速報が終了したことを通知する通知情報と、受信機アプリを再起動させるか否か選択する選択ボタンとが含まれる。選択ボタンとしては、再起動させることを選択する「はい」が記述されたボタンと、再起動させないことを選択する「いいえ」が記述されたボタンとが表示される。
【００６０】
表示画面Ｇ１３は、選択画面Ｋ１において「いいえ」が選択された場合の表示画面例である。この場合、受信装置１０は、緊急ニュース速報によって終了した受信機アプリを再起動させないため、表示画面Ｇ１３に示すように、選択画面Ｋ１のオーバーレイ表示が解除され、継続して放送番組の映像が全画面表示される。
【００６１】
表示画面Ｇ１４は、選択画面Ｋ１において「はい」が選択された場合の表示画面例である。この場合、受信装置１０は、緊急ニュース速報によって終了した受信機アプリのうち、受信機アプリ管理情報（図３）で再起動の必要性ありに設定されているアプリＡ及びアプリＢを再起動させる。これにより、表示画面Ｇ１４に示すように、選択画面Ｋ１のオーバーレイ表示が解除されるとともに、放送番組の映像に重畳してアプリＡ及びアプリＢのオーバーレイ表示がされる。
【００６２】
図７は、表示部１４の表示画面の遷移の第２例を示す図である。上記図６の例では、緊急ニュース速報の終了に起因して受信機アプリの再起動の制御が行われる場合の表示画面例を説明したが、図７では、緊急ニュース速報の放送中に操作入力がされたことして受信機アプリの再起動の制御が行われる場合の表示画面例を説明する。なお、図７において、図６と同様の表示画面には同じ符号を付しており、その説明を省略する。
【００６３】
緊急ニュース速報の放送中（表示画面Ｇ１１）に、ユーザが操作入力（キー操作）を行った場合、表示画面Ｇ２２に遷移する。表示画面Ｇ２２では、終了した受信機アプリを再起動させるか否かを選択させる選択画面Ｋ２がオーバーレイ表示される。図示する選択画面Ｋ２の例には、緊急ニュース速報の放送中であることを通知する通知情報と、受信機アプリを再起動させるか否か選択する選択ボタンとが含まれる。選択ボタンとしては、再起動させることを選択する「はい」が記述されたボタンと、再起動させないことを選択する「いいえ」が記述されたボタンとが表示される。
【００６４】
なお、図６の例と同様に、選択画面Ｋ２において「いいえ」が選択された場合、表示画面Ｇ１３に遷移し、選択画面Ｋ２において「はい」が選択された場合、表示画面Ｇ１４に遷移する。
【００６５】
（動作）
次に、図８を参照して、緊急ニュース速報の放送に伴う受信機アプリの再起動処理の動作を説明する。図８は、本実施形態に係る受信機アプリの再起動処理の一例を示すフローチャートである。
【００６６】
受信装置１０は、放送信号を受信する（ステップＳ１０１）。ここで、受信した放送信号による放送番組（放送番組の映像）を表示する表示画面には、実行中の受信機アプリのオーバーレイ表示がされている（図６、７の表示画面Ｇ１０参照）。そして、受信装置１０は、受信した放送信号に緊急ニュース記述子が含まれているか否かを判定する（ステップＳ１０２）。放送信号に緊急ニュース記述子が含まれていないと判定された場合（ステップＳ１０２：ＮＯ）、ステップＳ１０１に戻る。
【００６７】
一方、放送信号に緊急ニュース記述子が含まれていると判定された場合（ステップＳ１０２：ＹＥＳ）、受信装置１０は、受信機アプリ管理情報を更新し、受信機アプリの起動状態を、緊急ニュース速報開始時の状態に保持する（ステップＳ１０３）。また、受信装置１０は、実行中の受信機アプリを終了する（ステップＳ１０４）。これにより、受信装置１０の表示画面は、受信機アプリのオーバーレイ表示が解除され、放送番組の映像の全画面表示となる（図６、７の表示画面Ｇ１１参照）。
【００６８】
次に、受信装置１０は、受信した放送信号に緊急ニュース記述子が含まれているか否かを引き続き判定する（ステップＳ１０５）。つまり、受信装置１０は、放送信号に緊急ニュース記述子が含まれている状態から含まれない状態に遷移したか否かを判定する。
【００６９】
放送信号に緊急ニュース記述子が含まれていないと判定された場合、即ち、放送信号に緊急ニュース記述子が含まれている状態から含まれない状態に遷移したと判定された場合（ステップＳ１０５：ＮＯ）、ステップＳ１０７の処理に進む。
【００７０】
一方、放送信号に緊急ニュース記述子が含まれていると判定された場合、即ち、放送信号に緊急ニュース記述子が含まれている状態のままであると判定された場合（ステップＳ１０５：ＹＥＳ）、受信装置１０は、ユーザによる操作入力を受け付けたか否か（キー操作の有無）を判定する（ステップＳ１０６）。
【００７１】
ユーザによる操作入力を受け付けていない（キー操作なし）と判定された場合（ステップＳ１０６：ＮＯ）、ステップＳ１０５の処理に戻る。即ち、緊急ニュース速報が放送中であって、放送番組の映像の全画面表示の状態が継続される（図６、７の表示画面Ｇ１１参照）。一方、ユーザによる操作入力を受け付けた（キー操作あり）と判定された場合（ステップＳ１０６：ＹＥＳ）、ステップＳ１０７の処理に進む。
【００７２】
ステップＳ１０７において、受信装置１０は、受信機アプリを再起動させるか否かを選択させる選択画面をオーバーレイ表示する（ステップＳ１０７）。例えば、放送信号に緊急ニュース記述子が含まれている状態から含まれない状態に遷移したと判定された場合（ステップＳ１０５：ＮＯ）には、受信装置１０は、図６に示す選択画面Ｋ１をオーバーレイ表示する（図６の表示画面Ｇ１２参照）。また、ユーザによる操作入力を受け付けた（キー操作あり）と判定された場合（ステップＳ１０６：ＹＥＳ）には、受信装置１０は、図７に示す選択画面Ｋ２をオーバーレイ表示する（図７の表示画面Ｇ２２参照）。
【００７３】
そして、受信装置１０は、表示した選択画面に対するユーザの操作入力に基づいて、受信機アプリを再起動させるか否かを判定する（ステップＳ１０８）。選択画面に対するユーザの操作入力により受信機アプリを再起動させることが選択された場合、受信装置１０は、受信機アプリを再起動させると判定する（ステップＳ１０８：ＹＥＳ）。この場合、受信装置１０は、選択画面の表示を終了するとともに、受信機アプリ管理情報に従って受信機アプリを再起動させる（ステップＳ１０９）。つまり、受信装置１０は、受信機アプリ管理情報において、緊急ニュース速報が開始時に実行中であって、且つ再起動の必要性ありと設定されている受信機アプリを再起動させる。これにより、表示画面には再起動した受信機アプリのオーバーレイ表示がされる（図６、７の表示画面Ｇ１４参照）。
【００７４】
一方、選択画面に対するユーザの操作入力により受信機アプリを再起動させないことが選択された場合、受信装置１０は、受信機アプリを再起動させないと判定する（ステップＳ１０８：ＮＯ）。この場合、受信装置１０は、選択画面のオーバーレイ表示を終了し、継続して放送番組の映像が全画面表示される。
【００７５】
以上説明したように、本実施形態に係る受信装置１０は、放送信号を受信する放送受信部１１と、判定部１６４３と、機能処理部１６４４とを備えている。判定部１６４３は、放送受信部１１が受信した放送信号に緊急ニュース記述子（特定の記述子の一例）が含まれているか否かを判定する。機能処理部１６４４は、第１処理部と、第２処理部と、第３処理部とを主な構成として備えている。例えば、機能処理部１６４４は、第１処理部として、放送信号による放送番組を表示する表示画面の一部又は全部に所定の情報を表示する処理を少なくとも有する機能の一例としての受信機アプリを実行する。また、機能処理部１６４４は、第２処理部として、受信機アプリの実行中に、判定部１６４３により放送信号に緊急ニュース記述子が含まれていると判定された場合、実行中の受信機アプリを終了する。また、機能処理部１６４４は、第３処理部として、終了した受信機アプリを再起動させる。
【００７６】
このように、受信装置１０は、受信機アプリの実行中であってオーバーレイ表示がされている場合には、緊急ニュース速報が放送されると、実行中の受信機アプリを終了することでオーバーレイ表示を解除する。これにより、オーバーレイ表示を解除することで緊急ニュース速報の視認性を確保できる。また、受信装置１０は、終了した受信機アプリをその後再起動させることができるため、その受信機アプリを再び使用したいユーザの利便性を向上できる。よって、受信装置１０は、放送番組の視聴中に緊急ニュース速報が放送された場合の視認性及び利便性を向上できる。
【００７７】
なお、本実施形態において、特定の記述子は緊急ニュース速報の放送に対応して放送信号に含まれる記述子であり、その記述子の名称を「緊急ニュース記述子」として説明したが、この名称に限られるものではない。
【００７８】
例えば、機能処理部１６４４は、放送信号に緊急ニュース記述子が含まれている状態から含まれない状態に遷移したと判定された場合、終了した受信機アプリを再起動させる。
これにより、受信装置１０は、緊急ニュース速報の終了後に、緊急ニュース速報の開始時に実行中であった受信機アプリを再起動させることができるため、その受信機アプリを再び使用したいユーザの利便性を向上できる。
【００７９】
また、機能処理部１６４４は、放送信号に緊急ニュース記述子が含まれている状態であっても、操作入力を受け付けた場合、終了した受信機アプリを再起動させる。
これにより、受信装置１０は、緊急ニュース速報の放送中であってもその緊急ニュース速報を必要としないユーザが操作入力（キー操作）をすることで、緊急ニュース速報の開始時に実行中であった受信機アプリを再起動させることができる。よって、緊急ニュース速報を必要としないユーザがその受信機アプリをすぐに使用できるようになるため利便性を向上できる。
【００８０】
また、機能処理部１６４４は、受信機アプリを再起動させるか否かを選択する操作入力に基づいて、終了した受信機アプリを再起動させるか否かを決定する。
これにより、受信装置１０は、終了した受信機アプリをユーザが再び使用したい場合のみ再起動させることができるため、ユーザの利便性を向上できる。
【００８１】
また、機能処理部１６４４は、受信機アプリごとに再起動させるか否かが設定された管理情報（受信機アプリ管理情報）に基づいて、終了した受信機アプリのうち再起動させると設定されている受信機アプリを再起動させる。
これにより、受信装置１０は、再起動の必要性の高い受信機アプリのみ再起動させることができるため、ユーザの利便性を向上できる。
【００８２】
［第２の実施形態］
次に、本発明の第２の実施形態について説明する。
本実施形態では、受信装置１０は、緊急ニュース速報が終了した後に、緊急ニュース速報の開始時に実行中であった受信機アプリとは関係なく、特定の受信機アプリを起動させる。ここで、特定のアプリとは、例えば、災害時に安否確認情報の登録と確認が行える安否確認アプリ等である。受信装置１０は、緊急ニュース速報の内容に関連する安否確認アプリ等を、緊急ニュース速報の終了とともに起動させることで、ユーザの利便性を向上することができる。
【００８３】
本実施形態の放送システム１及び受信装置１０の基本的な構成は、図１及び図３に示す構成と同様である。本実施形態では、受信機アプリ管理情報に、緊急ニュース速報の終了時に起動する受信機アプリの情報を持つことで実現できる。
図９は、本実施形態に係る受信機アプリ管理情報の一例を示す図である。図示する例では、受信機アプリ管理情報には、受信機アプリと、起動状態と、緊急ニュース速報開始時の状態と、再起動の必要性と、緊急ニュース速報終了時に起動とが関連付けられている。緊急ニュース速報終了時に起動は、受信機アプリが緊急ニュース速報の終了時に起動させるか否かを示す情報であり、「○」が起動させることを示し、「×」が起動させないことを示す。ここでは、アプリＷが緊急ニュース速報の終了時に起動させるアプリとして設定されている。例えば、機能処理部１６４４は、放送信号に緊急記述子が含まれている状態から含まれない状態に遷移したと判定された場合、受信機アプリ管理情報を参照して、特定の受信機アプリを実行させる。
【００８４】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、上述の第１、第２の実施形態において説明した各構成は、任意に組み合わせることができる。
【００８５】
なお、上記実施形態では、受信装置１０は、放送信号に緊急ニュース記述子が含まれていると判定した場合、実行中の受信機アプリを終了させたが、終了させずに、受信機アプリのオーバーレイ表示のサイズや表示位置を変更してもよい。例えば、受信装置１０は、受信機アプリのオーバーレイ表示のサイズを小さくしたり、表示位置を表示画面内の端の位置に移動したりすることで、緊急ニュース速報の視認性を確保してもよい。
【００８６】
また、受信装置１０は、再起動後の受信機アプリのオーバーレイ表示のサイズや表示位置を、緊急ニュース速報の開始前のサイズや表示位置から変更してもよい。例えば、受信装置１０は、緊急ニュース速報の放送中に受信機アプリを起動した場合、受信機アプリのオーバーレイ表示のサイズを小さくしたり、表示位置を表示画面内の端の位置に移動したりすることで、緊急ニュース速報の視認性を確保してもよい。また、受信装置１０は、再起動後の受信機アプリの数が緊急ニュース速報の開始前より少なくなる場合、再起動後の受信機アプリのオーバーレイ表示のサイズを大きくしたり、表示位置を表示画面内で適切な位置に再配置したりすることで、ユーザの操作性を向上できる。
【００８７】
また、上記実施形態では、受信装置１０がテレビジョン装置である例を説明したが、受信装置１０は、放送信号を受信する機能を備えたテレビジョン放送の録画機（ハードディスクレコーダ等）、パーソナルコンピュータ、多機能携帯電話機（いわゆる、スマートフォンを含む）、タブレット端末装置等であってもよい。
【００８８】
また、上記実施形態において、特定の記述子は、緊急ニュース速報の放送に対応して放送信号に含まれる記述子である例を説明したが、他の用途の記述子であってもよい。
【００８９】
なお、上述した実施形態における受信装置１０の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、受信装置１０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９０】
また、受信装置１０の一部、例えば、制御部１６や、制御部１６が備える各部の一部又は全部を、ＬＳＩ（Ｌａｒｇｅ  Ｓｃａｌｅ  Ｉｎｔｅｇｒａｔｉｏｎ）等の集積回路として実現してもよい。また、本実施形態の受信装置１０内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００９１】
１  放送システム、１０  受信装置、１１  放送受信部、１２  操作入力部、１３  拡声部、１４  表示部、１５  記憶部、１６  制御部、２０  送信装置、１６１  復調部、１６２  分離部、１６３  音声処理部、１６４  処理部、１６４１  選局処理部、１６４２  表示処理部、１６４３  判定部、１６４４  機能処理部
【図１】
2017069680.tif 000003
【図２】
2017069680.tif 000004
【図３】
2017069680.tif 000005
【図４】
2017069680.tif 000006
【図５】
2017069680.tif 000007
【図６】
2017069680.tif 000008
【図７】
2017069680.tif 000009
【図８】
2017069680.tif 000010
【図９】
2017069680.tif 000011
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
放送信号を受信する受信部と、
前記受信部が受信した前記放送信号に特定の記述子が含まれているか否かを判定する判定部と、
前記放送信号による放送番組を表示する表示画面の一部又は全部に所定の情報を表示する処理を少なくとも有する機能を実行する第１処理部と、
前記機能の実行中に、前記判定部により前記放送信号に特定の記述子が含まれていると判定された場合、実行中の前記機能を終了する第２処理部と、
前記機能ごとに再起動させるか否かが設定された管理情報に基づいて、前記第２処理部が終了した前記機能のうち再起動させると設定されている前記機能を再起動させる第３処理部と、
を備える受信装置。
【請求項２】
前記特定の記述子は、緊急ニュース速報の放送に対応して前記放送信号に含まれる記述子である、
請求項１に記載の受信装置。
【請求項３】
前記第３処理部は、
前記放送信号に前記特定の記述子が含まれている状態から含まれない状態に遷移したと判定された場合、前記第２処理部が終了した前記機能を再起動させる、
請求項１または請求項２に記載の受信装置。
【請求項４】
前記第３処理部は、
前記放送信号に前記特定の記述子が含まれている状態であっても、操作入力を受け付けた場合、前記第２処理部が終了した前記機能を再起動させる、
請求項１から請求項３のいずれか一項に記載の受信装置。
【請求項５】
前記第３処理部は、
前記機能を再起動させるか否かを選択する操作入力に基づいて、前記第２処理部が終了した前記機能を再起動させるか否かを決定する、
請求項１から請求項４のいずれか一項に記載の受信装置。
【請求項６】
前記第１処理部は、
前記放送信号に前記特定の記述子が含まれている状態から含まれない状態に遷移したと判定された場合、特定の前記機能を実行させる、
請求項１から請求項５のいずれか一項に記載の受信装置。
【請求項７】
放送信号を受信する受信装置における制御方法であって、
判定部が、受信された前記放送信号に特定の記述子が含まれているか否かを判定する判定ステップと、
第１処理部が、前記放送信号による放送番組を表示する表示画面の一部又は全部に所定の情報を表示する処理を少なくとも有する機能を実行する第１処理ステップと、
第２処理部が、前記機能の実行中に、前記判定部により前記放送信号に特定の記述子が含まれていると判定された場合、実行中の前記機能を終了する第２処理ステップと、
第３処理部が、前記機能ごとに再起動させるか否かが設定された管理情報に基づいて、前記第２処理部が終了した前記機能のうち再起動させると設定されている前記機能を再起動させる第３処理ステップと、
を有する制御方法。
【請求項８】
コンピュータに、
受信された放送信号に特定の記述子が含まれているか否かを判定する判定ステップと、
前記放送信号による放送番組を表示する表示画面の一部又は全部に所定の情報を表示する処理を少なくとも有する機能を実行する第１処理ステップと、
前記機能の実行中に、前記放送信号に特定の記述子が含まれていると判定された場合、実行中の前記機能を終了する第２処理ステップと、
前記機能ごとに再起動させるか否かが設定された管理情報に基づいて、終了した前記機能のうち再起動させると設定されている前記機能を再起動させる第３処理ステップと、
を実行させるためのプログラム。